(57)【要約】【課題】電線の保持力を向上させることができる端子及び端子構造体を提供する。【解決手段】端子１は、端子本体１０と、端子本体１０から突出し、互いの間に電線Ｃが挿入されるスロット５０が設けられている基端アーム２０Ｒ，２０Ｌと、基端アーム２０Ｒの先端から＋Ｙ側に折り返されて延びている先端アーム３０Ｒと、基端アーム２０Ｌの先端から−Ｙ側に折り返されて延びている先端アーム３０Ｌとを備える。スロット５０の一部には、幅が狭い幅狭部５１が設けられ、基端アーム２０Ｒ，２０Ｌは、電線Ｃがスロット５０を移動するときに、その間隔が広がるように撓み、電線Ｃが幅狭部５１を通過することにより基端アーム２０Ｒ，２０Ｌの間隔が狭まるように構成されていてもよい。【選択図】図２
2019016548.tif 000002
【特許請求の範囲】
【請求項１】
端子本体と、
前記端子本体から突出し、互いの間に電線が挿入されるスロットが設けられている第１基端アーム及び第２基端アームと、
前記第１基端アームの先端から一方の側に折り返されて延びている第１先端アームと、
前記第２基端アームの先端から他方の側に折り返されて延びている第２先端アームと、
を備える、端子。
【請求項２】
前記スロットの一部には、幅が狭い幅狭部が設けられ、
前記第１及び第２基端アームは、前記電線が前記スロットを移動するときに、その間隔が広がるように撓み、前記電線が前記幅狭部を通過することにより前記第１及び第２基端アームの間隔が狭まるように構成されている、請求項１に記載の端子。
【請求項３】
前記第１基端アームと前記第１先端アームとのいずれか一方には、他方に向けて突出する第１突部が設けられている、請求項１又は２に記載の端子。
【請求項４】
前記第１基端アームには、前記第１先端アームに向けて突出する第１突部が設けられ、
前記第１先端アームには、前記第１突部に対向して突出する第１対向突部が設けられている、請求項１又は２に記載の端子。
【請求項５】
前記第１先端アームの先端は、自由端から構成されている、請求項１から４のいずれか一項に記載の端子。
【請求項６】
前記第１先端アームの先端は、前記端子本体に接続されている、請求項１から４のいずれか一項に記載の端子。
【請求項７】
前記第２基端アームと前記第１先端アームとの一方には、他方に向けて突出する第２突部が設けられている、請求項１から６のいずれか一項に記載の端子。
【請求項８】
前記第２基端アームには、前記第２先端アームに向けて突出する第２突部が設けられ、
前記第２先端アームには、前記第２突部に対向して突出する第２対向突部が設けられている、請求項１から６のいずれか一項に記載の端子。
【請求項９】
前記第２先端アームの先端は、自由端から構成されている、請求項１から８のいずれか一項に記載の端子。
【請求項１０】
前記第２先端アームの先端は、前記端子本体に接続されている、請求項１から８のいずれか一項に記載の端子。
【請求項１１】
前記端子本体、前記第１及び第２基端アーム、並びに前記第１及び第２先端アームは、導体からなる弾性変形可能な板状の部材から構成されている、請求項１から１０のいずれか一項に記載の端子。
【請求項１２】
前記第１基端アーム及び前記第２基端アームの少なくとも一方には、前記電線の被覆を除く圧接刃が形成されている、請求項１から１１のいずれか一項に記載の端子。
【請求項１３】
請求項１から１２のいずれか一項に記載の端子と、
前記端子を配置する空間が形成され、前記空間は、前記第１先端アーム及び前記第２先端アームの一部が接触する内壁面からなる筐体と、
を備える、端子構造体。
【発明の詳細な説明】
【技術分野】
【０００１】
本発明は、端子及び端子構造体に関する。
【背景技術】
【０００２】
特許文献１には、端子本体から突出する一対のアームを有する圧接端子が開示されている。このアームには圧接刃が設けられており、アームとアームとの間に形成されているスロットに電線が挿入されると、圧接刃によって電線の被覆が除去されて、電線の導体と圧接端子との導通が確保されて、電線はスロット内に保持される。
【先行技術文献】
【特許文献】
【０００３】
【特許文献１】特開２０１２−５９４２８号公報
【発明の概要】
【発明が解決しようとする課題】
【０００４】
特許文献１の記載の圧接端子では、スロットに保持されている電線に外力が作用した場合、電線がスロットから外れやすいという課題がある。
【０００５】
本発明は、上述の事情の下になされたもので、電線の保持力を向上させることができる端子及び端子構造体を提供することを目的とする。
【課題を解決するための手段】
【０００６】
上述の目的を達成するために、本発明の第１の観点に係る端子は、
端子本体と、
前記端子本体から突出し、互いの間に電線が挿入されるスロットが設けられている第１基端アーム及び第２基端アームと、
前記第１基端アームの先端から一方の側に折り返されて延びている第１先端アームと、
前記第２基端アームの先端から他方の側に折り返されて延びている第２先端アームと、
を備える。
【０００７】
前記スロットの一部には、幅が狭い幅狭部が設けられ、
前記第１及び第２基端アームは、前記電線が前記スロットを移動するときに、その間隔が広がるように撓み、前記電線が前記幅狭部を通過することにより前記第１及び第２基端アームの間隔が狭まるように構成されていてもよい。
【０００８】
前記第１基端アームと前記第１先端アームとのいずれか一方には、他方に向けて突出する第１突部が設けられていてもよい。
【０００９】
前記第１基端アームには、前記第１先端アームに向けて突出する第１突部が設けられ、
前記第１先端アームには、前記第１突部に対向して突出する第１対向突部が設けられていてもよい。
【００１０】
前記第１先端アームの先端は、自由端から構成されていてもよい。
【００１１】
前記第１先端アームの先端は、前記端子本体に接続されていてもよい。
【００１２】
前記第２基端アームと前記第１先端アームとの一方には、他方に向けて突出する第２突部が設けられていてもよい。
【００１３】
前記第２基端アームには、前記第２先端アームに向けて突出する第２突部が設けられ、
前記第２先端アームには、前記第２突部に対向して突出する第２対向突部が設けられていてもよい。
【００１４】
前記第２先端アームの先端は、自由端から構成されていてもよい。
【００１５】
前記第２先端アームの先端は、前記端子本体に接続されていてもよい。
【００１６】
前記端子本体、前記第１及び第２基端アーム、並びに前記第１及び第２先端アームは、導体からなる弾性変形可能な板状の部材から構成されていてもよい。
【００１７】
前記第１基端アーム及び前記第２基端アームの少なくとも一方には、前記電線の被覆を除く圧接刃が形成されていてもよい。
【００１８】
上述の目的を達成するために、本発明の第２の観点に係る端子構造体は、
第１の観点に係る端子と、
前記端子を配置する空間が形成され、前記空間は、前記第１先端アーム及び前記第２先端アームの一部が接触する内壁面からなる筐体と、
を備える。
【発明の効果】
【００１９】
本発明に係る端子においては、第１，第２基端アームは、端子本体から突出し、第１，第２基端アームの先端からは、第１，第２先端アームが延びている。第１，第２先端アームは、第１，第２基端アームの間のスロットを狭める部材として機能することが可能であるため、スロットに挿入される電線の保持力を向上させることができる。
【図面の簡単な説明】
【００２０】
【図１】本発明の実施の形態１に係る端子の斜視図である。
【図２】端子の正面図である。
【図３】基端アーム及び先端アーム等の正面図である。
【図４】端子構造体の斜視図である。
【図５】端子構造体の断面図である。
【図６】先端アームの作用について説明するための図である。
【図７】端子への電線の組付け方法を説明するための断面図（その１）である。
【図８】端子への電線の組付け方法を説明するための断面図（その２）である。
【図９】図８の部分拡大図である。
【図１０】端子への電線の組付け方法を説明するための断面図（その３）である。
【図１１】図１０の部分拡大図である。
【図１２】実施の形態２に係る端子の正面図である。
【図１３】実施の形態３に係る端子の正面図である。
【図１４】実施の形態４に係る端子の正面図である。
【図１５】実施の形態５に係る端子の正面図である。
【図１６】実施の形態６に係る端子の正面図である。
【発明を実施するための形態】
【００２１】
実施の形態１．
以下、本発明の実施の形態１に係る端子１及び端子構造体１００について、図１〜図１１を用いて説明する。なお、理解を容易にするために、ＸＹＺ座標を設定し、適宜参照する。
【００２２】
端子１は、例えば、自動車の電気系統部品や装備に用いられる圧接端子である。端子１は、図１及び図２に示すように、導体からなる弾性変形可能な板状の部材から構成されている。端子１は、中心軸Ｚ１を通過すると共にＸＺ平面に平行な面に対して、左右対称に形成されている。端子１は、端子本体１０と、基端アーム２０Ｒ（第１基端アーム）と、基端アーム２０Ｌ（第２基端アーム）と、先端アーム３０Ｒ（第１先端アーム）と、先端アーム３０Ｌ（第２先端アーム）と、突部４１（第１突部）と、突部４２（第２突部）とを備える。
【００２３】
端子本体１０は、例えば、基板１１０に接続される。端子本体１０には、基板１１０の接続穴１１０ａに挿入される突出部１１が設けられている。突出部１１は、端子本体１０の下端（−Ｚ側の端部）から−Ｚ方向に延びて形成されている。また、端子本体１０の両側端（＋Ｙ側の端部、−Ｙ側の端部）には、突起部１２，１３が設けられている。
【００２４】
一対の基端アーム２０Ｒ、２０Ｌは、図３に示すように、被覆電線からなる電線Ｃを挟んで保持するためのアームである。基端アーム２０Ｒ，２０Ｌは、端子本体１０の上端（＋Ｚ側の端部）から突出する。この基端アーム２０Ｒ，２０Ｌは、端子本体１０に支持されることで、矢印Ａ１に示すように、基端アーム２０Ｒ、２０Ｌと端子本体１０との接続部分２１を基点に撓み可能に設けられている。基端アーム２０Ｒと基端アーム２０Ｌとの間には、電線Ｃが挿入されるスロット５０が設けられている。また、基端アーム２０Ｒと基端アーム２０Ｌとの対向する部分には、圧接刃６０が形成されている。
【００２５】
スロット５０は、Ｚ軸方向を長手方向とする細長い溝から構成されている。スロット５０の＋Ｚ側の端部は、外部に開放されている。この解放端は、電線Ｃが挿入される挿入口として機能する。スロット５０の−Ｚ側の端部は、挿入された電線Ｃが保持される保持部として機能する。スロット５０の一部には、幅が狭い幅狭部５１が設けられている。
【００２６】
幅狭部５１は、スロット５０の−Ｚ側における端部の上側に形成されている。この幅狭部５１は、その幅Ｗ１が電線Ｃの直径よりも小さくなるように形成されている。
【００２７】
圧接刃６０は、電線Ｃの被覆を除去し、電線Ｃの導体と端子１との導通を確保するためのものである。
【００２８】
先端アーム３０Ｒは、基端アーム２０Ｒの先端から＋Ｙ側に折り返されて延びている。筐体１２０に組み付けられていない端子１単体において、先端アーム３０Ｒの先端は、自由端から構成されている。
【００２９】
先端アーム３０Ｌは、基端アーム２０Ｌの先端から＋Ｙ側とは反対側の−Ｙ側に折り返されて延びている。筐体１２０に組み付けられていない端子１単体において、先端アーム３０Ｌの先端は、自由端から構成されている。
【００３０】
基端アーム２０Ｒには、先端アーム３０Ｒに向けて突出する突部４１が設けられている。突部４１は、基端アーム２０Ｒの撓みに伴って、突部４１の先端が先端アーム３０Ｒに当接するように形成されている。
【００３１】
基端アーム２０Ｌには、先端アーム３０Ｌに向けて突出する突部４２が設けられている。突部４２は、基端アーム２０Ｌの撓みに伴って、突部４２の先端が先端アーム３０Ｌに当接するように形成されている。
【００３２】
上述のように構成されている端子１は、図４及び図５に示す端子構造体１００に適用される。
【００３３】
端子構造体１００は、上述の端子１と、基板１１０と、筐体１２０と、電線Ｃとを備える。
【００３４】
基板１１０には、Ｚ軸方向に貫通する接続穴１１０ａが設けられている。この接続穴１１０ａには、端子本体１０の突出部１１が挿入される。接続穴１１０ａに端子本体１０の突出部１１が挿入されると、基板１１０の導電部分と端子１とは、電気的に接続される。接続穴１１０ａに挿入された突出部１１は、例えば、はんだ付けによって基板１１０に接続される。
【００３５】
筐体１２０は、基板１１０上に配置されると共に端子１を覆う部材である。筐体１２０には、端子１を配置する端子配置空間１２１が形成されている。筐体１２０の上面（＋Ｚ側の面）には、端子配置空間１２１に通じる開口１２０ａが形成されている。端子配置空間１２１は、先端アーム３０Ｒの先端及び先端アーム３０Ｌの先端が接触する内壁面１２２を有する。一方の内壁面１２２から他方の内壁面１２２までの幅Ｗ２（Ｙ軸方向における幅）は、図３に示す先端アーム３０Ｒの先端から先端アーム３０Ｌの先端までの幅Ｗ３（Ｙ軸方向における幅）よりもやや小さい。これにより、先端アーム３０Ｒ，３０Ｌの先端は、内壁面１２２に付勢する。図６に示すように、先端アーム３０Ｒ，３０Ｌは、スロット５０に電線Ｃが挿入された場合、基端アーム２０Ｒ，２０Ｌの撓みに抗する反力Ｐにより、基端アーム２０Ｒ，２０Ｌを互いに狭めるように作用するバネとして機能する。
【００３６】
図５に示すように、筐体１２０の内壁面１２２には、端子本体１０の突起部１２，１３が喰い込む。これにより、端子１が、筐体１２０の端子配置空間１２１から離脱することを防ぐ。
【００３７】
電線Ｃは、本実施の形態１では、導体と被覆とからなる被覆電線である。
【００３８】
上述のように構成された端子構造体１００における端子１への電線Ｃの組付け方法について、図７〜図１１を用いて説明する。
【００３９】
電線Ｃを−Ｚ方向に移動させていくと、図７に示すように、電線Ｃは基端アーム２０Ｒ，２０Ｌに形成されているスロット５０の幅狭部５１近傍に当接する。さらに、電線Ｃを−Ｚ方向に移動させていくと、図８及び図９に示すように、電線Ｃの幅狭部５１への進入に伴って、基端アーム２０Ｒ，２０Ｌが互いに広がるように撓む。このとき、先端アーム３０Ｒ，３０Ｌの先端は、筐体１２０の内壁面１２２に接触しているため、基端アーム２０Ｒと先端アーム３０Ｒとの間隔が狭まり、突部４１が先端アーム３０Ｒに当接する。同様に、基端アーム２０Ｌと先端アーム３０Ｌとの間隔が狭まり、突部４２も先端アーム３０Ｌに当接する。突部４１，４２が先端アーム３０Ｒ，３０Ｌに当接することにより、基端アーム２０Ｒ，２０Ｌの所定以上の撓みが抑制される。
【００４０】
また、電線Ｃの幅狭部５１への進入に伴って、圧接刃６０が電線Ｃの被覆を除去する。被覆の除去により、電線Ｃの導体と端子１との導通が確保される。
【００４１】
さらに、電線Ｃを−Ｚ方向に移動させていくと、図１０及び図１１に示すように、電線Ｃが幅狭部５１を通過する。すると、矢印Ａ２に示すように、基端アーム２０Ｒ，２０Ｌの撓みが解消し、基端アーム２０Ｒ，２０Ｌと先端アーム３０Ｒ，３０Ｌとの間隔が広がると共に、基端アーム２０Ｒ，２０Ｌの間隔が狭まる。さらに、電線Ｃを−Ｚ方向に移動させていくと、やがて、電線Ｃは、スロット５０の−Ｚ側の端部に到達する。以上により、端子１への電線Ｃの組付けは完了する。
【００４２】
以上、説明したように、本実施の形態１においては、図１１に示すように、基端アーム２０Ｒ，２０Ｌは、端子本体１０から突出し、基端アーム２０Ｒからは、先端アーム３０Ｒが＋Ｙ側に折り返されて延びると共に、基端アーム２０Ｌからは、先端アーム３０Ｌが−Ｙ側に折り返されて延びている。先端が筐体１２０の内壁面１２２に接触する先端アーム３０Ｒ，３０Ｌは、スロット５０を狭めるバネとして機能することから、スロット５０に挿入されている電線Ｃの保持力を向上させることができる。また、基端アーム２０Ｒと折り返された先端アーム３０Ｒとがバネとして機能し、基端アーム２０Ｌと折り返された先端アーム３０Ｌとがバネとして機能するため、端子の＋Ｚ側の長さを短くすることができると共に、端子構造体を低背化することができる。
【００４３】
また、本実施の形態１においては、スロット５０に幅狭部５１が設けられている。幅狭部５１は、スロット５０に保持されている電線Ｃの＋Ｚ側（上側）に形成されていることから、電線Ｃの上部が閉ざされ、電線Ｃが外れにくくなる。結果として、スロット５０に挿入されている電線Ｃの保持力を向上させることができる。
【００４４】
また、基端アーム２０Ｒ，２０Ｌには、先端アーム３０Ｒ，３０Ｌに向けて突出する突部４１，４２が設けられている。基端アーム２０Ｒ，２０Ｌが互いに広がるように撓んだ場合、突部４１，４２が先端アーム３０Ｒ，３０Ｌに当接することにより、基端アーム２０Ｒ，２０Ｌの所定以上の撓みが抑制することができる。この結果、基端アーム２０Ｒ，２０Ｌ、先端アーム３０Ｒ，３０Ｌの幅を広くする等して基端アーム２０Ｒ，２０Ｌ、先端アーム３０Ｒ，３０Ｌのばねとしての機能を強化しなくても、必要以上に基端アーム２０Ｒ，２０Ｌが広がらないため、電線Ｃの被覆の除去を良好に行うことができる。
【００４５】
以上、本発明の実施の形態について説明したが、本発明は上記実施の形態１によって限定されるものではない。
【００４６】
実施の形態２．
本発明の実施の形態１に係る端子１の先端アーム３０Ｒ，３０Ｌの先端は、自由端から構成されている。しかしながら、これに限られない。図１２に示す端子２のように、先端アーム３０Ｒ，３０Ｌの先端は、端子本体１０に接続されていてもよい。端子２においても、端子１と同等の効果を奏することができる。また、端子１のように、先端アーム３０Ｒ，３０Ｌの先端を内壁面１２２に接触させなくても、基端アーム２０Ｒ，２０Ｌを互いに狭めるように作用するバネとして機能できる。このため、端子構造体１００から筐体１２０を割愛することができる。
【００４７】
実施の形態３．
本発明の実施の形態１，２においては、突部４１，４２は、基端アーム２０Ｒ，２０Ｌに設けられている。しかしながら、これに限られない。図１３に示す端子３のように、突部４１，４２は、先端アーム３０Ｒ，３０Ｌに設けられていてもよい。この場合、突部４１，４２の先端は、基端アーム２０Ｒの撓みに伴って、基端アーム２０Ｒ，２０Ｌに当接する。端子３においても、端子１，２と同等の効果を奏することができる。
【００４８】
実施の形態４．
本発明の実施の形態１，３においては、突部４１は、基端アーム２０Ｒと先端アーム３０Ｒとのいずれか一方に設けられている。同様に、突部４２は、基端アーム２０Ｌと先端アーム３０Ｌとのいずれか一方に設けられている。しかしながら、これに限られない。図１４に示す端子４のように、基端アーム２０Ｒ，２０Ｌに突部４１，４２が設けられ、先端アーム３０Ｒ，３０Ｌに、突部４１，４２に対向する対向突部４３，４４（第１対向突部，第２対向突部）が設けられていてもよい。この場合、突部４１，４２の先端は、基端アーム２０Ｒの撓みに伴って、対向突部４３，４４の先端に当接する。端子４においても、端子１〜３と同等の効果を奏することができる。
【００４９】
実施の形態５．
本発明の実施の形態１〜４においては、基端アーム２０Ｒと先端アーム３０Ｒとのいずれか一方に突部４１が設けられている。同様に、基端アーム２０Ｌと先端アーム３０Ｌとのいずれか一方に突部４２が設けられている。しかしながら、これに限られない。図１５に示す端子５のように、突部４１，４２が設けられていなくてもよい。この場合も、先端アーム３０Ｒ，３０Ｌは、スロット５０を狭めるバネとして機能することから、スロット５０に挿入されている電線Ｃの保持力を向上させることができる。しかしながら、突部４１，４２が先端アーム３０Ｒ，３０Ｌに当接することにより、基端アーム２０Ｒ，２０Ｌの所定以上の撓みが抑制することができないため、実施の形態１〜４のように、基端アーム２０Ｒ，２０Ｌと先端アーム３０Ｒ，３０Ｌとのいずれか一方に突部４１，４２が設けられているほうが好ましい。
【００５０】
実施の形態６．
本発明の実施の形態５に係る端子５の先端アーム３０Ｒ，３０Ｌの先端は、自由端から構成されている。しかしながら、これに限られない。図１６に示す端子６のように、先端アーム３０Ｒ，３０Ｌの先端は、端子本体１０に接続されていてもよい。端子６においても、端子５と同等の効果を奏することができる。
【００５１】
また、本発明の実施の形態では、端子１〜６は圧接端子である。しかしながら、これに限られない。端子１〜６は圧着端子であってもよい。この場合、基端アーム２０Ｒ，２０Ｌに圧接刃６０を設けなくてもよい。
【００５２】
また、端子１は、図２に示すように、中心軸Ｚ１を通過すると共にＸＺ平面に平行な面に対して、左右対称に形成されている。しかしながら、これに限られない。端子１は、左右対称に形成されていなくてもよい。例えば、突部４１が、基端アーム２０Ｒに設けられている場合、突部４２は、基端アーム２０Ｌではなく、先端アーム３０Ｌに設けられていてもよい。また、突部４１が、基端アーム２０Ｒに設けられている場合、基端アーム２０Ｌに突部４２が設けられると共に、先端アーム３０Ｌに対向突部４４が設けられていてもよい。
【００５３】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【符号の説明】
【００５４】
１，２，３，４，５，６：端子、１０：端子本体、１１：突出部、１２，１３：突起部、２０Ｒ：基端アーム（第１基端アーム）、２０Ｌ：基端アーム（第２基端アーム）、２１：接続部分、３０Ｒ：先端アーム（第１先端アーム）、３０Ｌ：先端アーム（第２先端アーム）、４１：突部（第１突部）、４２：突部（第２突部）、４３：対向突部（第１対向突部）、４４：対向突部（第２対向突部）、５０：スロット、５１：幅狭部、６０：圧接刃、１００：端子構造体、１１０：基板、１１０ａ：接続穴、１２０：筐体、１２０ａ：開口、１２１：端子配置空間、１２２：内壁面、Ｃ：電線、Ａ１：矢印、Ｐ：反力、Ｗ１，Ｗ２，Ｗ３：幅、Ｚ１：中心軸。
【図１】
2019016548.tif 000003
【図２】
2019016548.tif 000004
【図３】
2019016548.tif 000005
【図４】
2019016548.tif 000006
【図５】
2019016548.tif 000007
【図６】
2019016548.tif 000008
【図７】
2019016548.tif 000009
【図８】
2019016548.tif 000010
【図９】
2019016548.tif 000011
【図１０】
2019016548.tif 000012
【図１１】
2019016548.tif 000013
【図１２】
2019016548.tif 000014
【図１３】
2019016548.tif 000015
【図１４】
2019016548.tif 000016
【図１５】
2019016548.tif 000017
【図１６】
2019016548.tif 000018